(57)【要約】      （修正有）【課題】ディスクの回転時に発生する塵埃を含んだ空気流の誘導路を設けて空気流をその誘導路に吸入して排出口から排出するとともに、誘導路と排出口の間に設けた塵埃トラップ内に塵埃を堆積させるようにすることで、わざわざクリーニング用のカートリッジを挿入しなくても、使用時に自動的にクリーニングができるようにするとともに、除塵処理によって埃が舞い散ることがないように、埃を所定の場所（塵埃トラップ内）に集積させることが可能なディスク収納構体を提供する。【解決手段】記録再生のためのディスク回転動作状態でディスク０１０２の略外周周速方向に形成した気流導入通路０１０３と、気流導入通路と連通した気流排出口０１０４と、気流導入通路と気流排出口の間に設けた塵埃トラップ０１０５とを有するディスク収納構体を提供する。【選択図】図１
2008176839.tif 000002
【特許請求の範囲】
【請求項１】
ディスクの記録再生をするためのディスク収納構体であって、
記録再生のためのディスク回転動作状態でディスクの略外周周速方向に形成した気流導入通路と、
気流導入通路と連通した気流排出口と、
気流導入通路と気流排出口の間に設けた塵埃トラップと、
を有するディスク収納構体。
【請求項２】
塵埃トラップは、サイクロン構造を有する請求項１に記載のディスク収納構体。
【請求項３】
ディスクを収納するディスクトレーを有し、このディスクトレーは、ディスク外周を囲む外周壁を有する請求項１又は２に記載のディスク収納構体。
【請求項４】
少なくとも塵埃トラップは着脱自在なカートリッジ構造である請求項３に記載のディスク収納構体。
【請求項５】
塵埃トラップは、引き出し自在のディスクトレーに備えられている請求項３又は４に記載のディスク収納構体。
【請求項６】
前記塵埃トラップは引き出された状態で露出された位置に配置される請求項５に記載のディスク収納構体。
【請求項７】
塵埃トラップは、ディスクトレーと一体に成形された第一部分と、第一部分の気流導入通路部分及び塵埃トラップ部分をカバーする第二部分とからなる請求項５又は６に記載のディスク収納構体。
【請求項８】
前記カートリッジ構造からなる着脱自在なカートリッジは透明材料から構成されている請求項４に記載のディスク収納構体。
【請求項９】
前記第二部分は透明材料から構成されている請求項７に記載のディスク収納構体。
【請求項１０】
前記気流導入通路と、気流排出口と、塵埃トラップと、からなる組を複数有する請求項１から９のいずれか一に記載のディスク収納構体。
【発明の詳細な説明】
【技術分野】
【０００１】
本発明は、気流導入通路と連通した気流排出口と、これらの間に設けた塵埃トラップとを有するディスク収納構体に関する。
【背景技術】
【０００２】
ＤＶＤなどのディスクを利用するディスク記録再生装置においては、演算部などの発熱部分の放熱対策を講じる必要があることから開口部をなくすことは困難であり、一般に放熱用のファンが設けられている。そこで、塵埃が外気とともに開口部から筐体内に吸入されると、これと通気関係にあるディスク収納構体内にも塵埃が吸入され、さらにディスクの回転によって生じる空気流によりこの吸入された塵埃が構体内で攪拌されるが、構体から排出されずに構体内に残留する塵埃が生じるという問題がある。また、ＤＶＤなどのディスクは使用の都度蓋を開けたりディスクトレーを引き出したりするため、その度に外気中の塵埃がディスク収納構体内に混入するという問題もある。このため、やがては塵埃の密度が上昇して、対物レンズ表面などに付着して光透過率を減少させるなどの弊害を生じさせ、ディスク記録再生装置の安定的な記録再生機能の発揮の妨げとなる。また、ハードディスクなどのように必ずしも開口部を必要としない、また使用時の開閉を伴わないディスクを収納するための収納構体を備えた密閉型の装置にあっても、製造時などに塵埃が構体内部に混入することは避けがたく、これがやはりディスクの回転によって攪拌されるため、上と同様に、ディスク記録再生装置の安定的な記録再生機能の発揮の妨げという問題を抱えている。
このような背景の中で、ディスク収納構体内部の塵埃を除去するための工夫もいくつかなされている。
例えば、特許文献１では、ブラシを内蔵したクリーニングカートリッジに塵埃を吸引するための吸引口を設け、吸引機で塵埃を吸引除去する方法が開示されている（特許文献１参照）。また、特許文献２では、ブラシなどの除塵手段を設けるとともに、これに付着した塵埃の除去を行うために除塵手段が当接する高さに突起部を設け、当該突起部で除塵手段に付着した塵埃を掻き落とすとともに、突起部の周りに粘着部を配設して掻き落とされた塵埃を吸着する方法が開示されている（特許文献２参照）。
【特許文献１】特開平５‐２２５７６５３号公報
【特許文献２】特開２００４‐０３０７３５号公報
【発明の開示】
【発明が解決しようとする課題】
【０００３】
しかし、ブラシを内蔵したクリーニングカートリッジに塵埃を吸引するための吸引口を設けて吸引機で塵埃を吸引除去する方法の場合、わざわざクリーニングカートリッジを挿入しなければ清掃ができず、手間がかかり、構体内を常に清潔に保つことは困難である。また、ブラシなどの除塵手段を設けてこれに付着した塵埃の除去を突起部が掻き落とすとともに、掻き落とされた塵埃を粘着部で吸着する方法の場合、突起部によって除塵手段から掻き落とされた塵埃のうちの一部しか粘着部に吸着されず、残りの塵埃が再び構体内に舞い散ってしまうという問題がある。
そこで、本発明の解決すべき課題は、ディスクの回転時に発生する塵埃を含んだ空気流の誘導路を設けて空気流をその誘導路に吸入して排出口から排出するとともに、誘導路と排出口の間に設けた塵埃トラップ内に塵埃を堆積させるようにすることで、わざわざクリーニング用のカートリッジを挿入しなくても、使用時に自動的にクリーニングができるようにするとともに、除塵処理によって埃が舞い散ることがないように、埃を所定の場所（塵埃トラップ内）に集積させることが可能なディスク収納構体を提供することにある。
【課題を解決するための手段】
【０００４】
以上の課題を解決するため、本発明のうち、請求項１に記載の発明は、ディスクの記録再生をするためのディスク収納構体であって、記録再生のためのディスク回転動作状態でディスクの略外周周速方向に形成した気流導入通路と、気流導入通路と連通した気流排出口と、気流導入通路と気流排出口の間に設けた塵埃トラップとを有するディスク収納構体を提供する。また、請求項２に記載の発明は、塵埃トラップは、サイクロン構造を有する請求項１に記載のディスク収納構体を提供する。また、請求項３に記載の発明は、ディスクを収納するディスクトレーを有し、このディスクトレーは、ディスク外周を囲む外周壁を有する請求項１又は２に記載のディスク収納構体を提供する。また、請求項４に記載の発明は、少なくとも塵埃トラップは着脱自在なカートリッジ構造である請求項３に記載のディスク収納構体を提供する。また、請求項５に記載の発明は、塵埃トラップは、引き出し自在のディスクトレーに備えられている請求項３又は４に記載のディスク収納構体を提供する。また、請求項６に記載の発明は、前記塵埃トラップは引き出された状態で露出された位置に配置される請求項５に記載のディスク収納構体を提供する。また、請求項７に記載の発明は、塵埃トラップは、ディスクトレーと一体に成形された第一部分と、第一部分の気流導入通路部分及び塵埃トラップ部分をカバーする第二部分とからなる請求項５又は６に記載のディスク収納構体を提供する。また、請求項８に記載の発明は、前記カートリッジ構造からなる着脱自在なカートリッジは透明材料から構成されている請求項４に記載のディスク収納構体を提供する。また、請求項９に記載の発明は、前記第二部分は透明材料から構成されている請求項７に記載のディスク収納構体を提供する。また、請求項１０に記載の発明は、前記気流導入通路と、気流排出口と、塵埃トラップとからなる組を複数有する請求項１から９のいずれか一に記載のディスク収納構体を提供する。
【発明の効果】
【０００５】
本発明により、ディスクの回転時に発生する塵埃を含んだ空気流の誘導路を設けて空気流をその誘導路に吸入して排出口から排出するとともに、誘導路と排出口の間に設けた塵埃トラップ内に塵埃を堆積させるようにすることで、わざわざクリーニング用のカートリッジを挿入しなくても、使用時に自動的にクリーニングができるようにするとともに、除塵処理によって埃が舞い散ることがないように、埃を所定の場所（塵埃トラップ内）に集積させることが可能なディスク収納構体を提供することが可能となる。
【発明を実施するための最良の形態】
【０００６】
以下に、本発明の実施例を説明する。実施例と請求項の相互の関係は以下のとおりである。実施例１は主に請求項１、請求項２、請求項３などに関し、実施例２は主に請求項４、請求項５、請求項６、請求項８などに関し、実施例３は主に請求項７、請求項９などに関し、実施例４は主に請求項１０などに関する。なお、本発明はこれら実施例に何ら限定されるものではなく、その要旨を逸脱しない範囲において、種々なる態様で実施しうる。
【実施例１】
【０００７】
<概要>
本実施例のディスク構体は、記録再生のためのディスク回転動作状態でディスクの略外周周速方向に形成した気流導入通路と、気流導入通路と連通した気流排出口と、気流導入通路と気流排出口の間に設けた塵埃トラップとを有する。
また、本実施例のディスク構体には、塵埃トラップがサイクロン構造を有するものも含まれる。
さらに、本実施例のディスク構体には、ディスク構体がディスクを収納するディスクトレーを有し、このディスクトレーがディスク外周を囲む外周壁を有するものも含まれる。
【０００８】
<構成>
（全般）
図１は、ディスク収納構体に収納されたディスクトレー０１０１の一例を示す平面図であって、ディスク収納構体の上部の蓋部分の図示を省略してディスク収納構体内部のディスクトレーが見えるようにしたものである。本図の左上部分に示すように、ディスクトレーには気流導入通路０１０３（破線長円で囲んだ範囲）と、気流排出口０１０４と、塵埃トラップ０１０５（破線長円で囲んだ範囲）からなる組０１０６が備えられており、ディスクトレー上に搭載されたディスク０１０２が例えば右回り（時計回り）に回転する場合は、ディスクの外周周速方向は一例を矢印Ａ方向で示す接線方向となり、この回転に伴いディスク上に一例を矢印Ｂ方向に示す空気流が生じ、この空気流が気流導入通路から組内に流入して塵埃トラップを経て気流排出口から排出されるようになっている。
本図は、かかる空気流の通気のための全体構造を示すための図であるので、塵埃トラップの内部構造の詳細は省略して示した。この点については別図を用いて後述する。
（ディスク収納構体）
本発明における「ディスク収納構体」は、ディスクの記録再生（ディスクを利用して情報を記録、再生することをいう。以下同じ。）をするための構造体であって、ディスクを収納するためのスペースを有する構造体を広く含む。例えば、ＤＶＤレコーダ、ＣＤレコーダなどが該当する。また、かかる機能を含むものであれば、専用装置である必要はなく、例えば、ＤＶＤやＣＤの記録再生機能を備えたパソコンなどに備えられたものも該当する。さらに、以上のような開口部を備えることが必須の記録再生装置のディスク収納構体に限らず、ハードディスクを収納した密閉型の記録再生装置のディスク収納構体であってもよい。
【０００９】
（気流導入通路）
「気流導入通路」は、記録再生のためのディスク回転動作状態でディスクの略外周周速方向に形成されている。
「ディスクの略外周周速方向」とは、概ねディスクの外周周速方向に近い方向をいう。例えば、図１に示したようにディスクが右回り（時計回り）に回転する場合には、ディスクの外周周速方向は、右向きの接線方向（図中一例を矢印Ａ方向で示す）に現れる。この場合、ディスク回転動作時にディスク０１０２上を中心寄りから外周に向かって流れる空気流がディスクの右回転に伴い法線方向よりも右方向（図中一例を矢印Ｂ方向で示す）に偏向していく。そこで、気流導入通路０１０３をディスク回転動作状態でディスクの略外周周速方向に形成することにより、ディスク上を流れる空気流を確実に気流導入通路内に取り込むことができる。なお、かかる接線方向はディスク外周上に無数に存在するところ、上述の説明からも明らかなように、ここでいう略外周周速方向の起点となる接点は、気流導入通路の開口部が設けられている位置付近における接点を指す。即ち、本構成を目的的に言い換えれば、「気流導入通路をディスク回転動作時にディスク上を中心寄りから外周に向かって流れる空気流が向かう方向に形成する」ということである。
図２は、気流導入通路をディスクの略外周周速方向に形成することの意義を補足して説明するための概念図である。（ａ）は気流導入通路をディスクの略外周周速方向に形成した例であって、図１で示したのと同じ状態を模式的に表したものである。本図では、ディスク０２０２の外周周速方向が矢印Ａ方向で示す方向であり、気流導入通路０２０３が概ねこの方向に形成されているため、ディスク上を矢印Ｂ方向に流れてきた空気流を例えば右下に向けて形成されている開口部０２０３ａ（太破線で示す）によって確実に取り込むことができることが示されている。
これに対し、（ｂ）は、気流導入通路０２０３がこれとは概ね逆の方向に形成されている好適でない例を参考までに示したものであり、ディスク０２０２上を矢印Ｂ方向に流れてきた空気流を気流導入通路０２０３の開口部０２０３ａから確実に取り込むことができないことが示されている。かかる配置は、例えば図１で言えば、図示されている気流導入通路０１０３と上下対称の位置に形成されていると仮定した場合が該当する。
このように（図２（ａ）に示すように）形成されていることで、気流導入通路は、ディスクの回転動作時にディスク上に生じる空気流を確実に取り込むとともに、取り込んだ空気流を塵埃トラップに誘導し、さらに塵埃トラップ内を流通させた後気流排出口から排出することで通気状態を保つ役目を果たしている。
【００１０】
（気流排出口）
「気流排出口」は、気流導入通路と連通している。この連通は、次に述べる塵埃トラップを介してなされている。この気流排出口は、気流導入通路から取り込まれて塵埃トラップを介してここに誘導された空気流を排出することで、塵埃トラップを常に通気状態に保つ役目を果たしている。即ち、かかる気流排出口が設けられていることで、ディスク上で発生した空気流が、気流導入通路、塵埃トラップという順路を経て気流排出口から排出されることで、円滑に流れることになる。なお、気流排出口から排出される空気流の排出先は問わない。例えば、ディスクトレーの裏側であってもよいし、ディスク面上に排出させて空気流を還流させてもよい。この場合、次に述べる塵埃トラップにより塵埃の除去された清浄な空気流が還流するので問題はない。あるいは、ディスク収納状態でディスク収納構体の外部、さらにはディスク記録再生装置の外部に排出してもよい。
（塵埃トラップ）
「塵埃トラップ」は、気流導入通路と気流排出口の間に設けられている。この塵埃トラップの役目は、気流導入通路から誘導されてきた空気流中に含まれる塵埃を除去して自身に溜めるとともに、塵埃を除去した空気を気流排出口に誘導して通気状態を保つことにある。かかる誘導を円滑に行えるよう、塵埃トラップは、サイクロン構造を有していることが望ましい。本発明において「サイクロン構造」とは、塵埃トラップ内に流入した空気流がその壁面に沿って渦巻き流を発生させ、渦巻き流の遠心力により空気流から塵埃を分離して壁面に残しつつ空気流だけを塵埃トラップ外に排出できるような塵埃トラップの構造をいう。
塵埃トラップは、塵埃を溜めて空気流を排出できるものであれば、素材、形状は問わない。例えば、スポンジ、無塵布、金属ネット等の素材からなる底面を有する円筒形容器状又は袋状の形状のものや、上下の開口した円筒形形状（素材を問わない）の底面部分にスポンジ、無塵布、金属ネット等の素材を装着したものなどが考えられる。あるいは、塵埃トラップがサイクロン構造を有している場合には、渦巻き流の遠心力により塵埃がその壁面に吸着されるので、底面部分にも何も装着されていなくてもよい。
【００１１】
（塵埃トラップがサイクロン構造を有している場合）
塵埃トラップがサイクロン構造を有している場合には、塵埃を吸着しやすいように壁面が、塵埃トラップ内に乱気流を生じさせない範囲である程度の表面粗度を有していることが望ましい。好適な一例としては、表面粗度（Ｒａ）が５μｍ以上１０００μｍ以下であるものが考えられる。この範囲内において具体的にどの程度の表面粗度とするかは、ディスク記録再生装置の設置される環境等を考慮して定め得る設計事項であるが、例えば、当該装置がオフィスに設置される場合は、綿埃などの比較的細かい塵埃が多いと考えられることから、表面粗度を小さくしたものが適しているといえ、また、当該装置が一般家庭に設置される場合は、食物のかすやペットの毛などの比較的大きな塵埃も含まれることが多いと考えられることから、表面粗度を大きくしたものが適しているといえる。さらに、塵埃トラップ内に乱気流を生じさせない範囲であれば壁面が塵埃の付着しやすいような形状（例えば鉤状の形状）を有していてもよい。あるいは壁面が粘着テープのような粘着力のある素材からなるものであってもよい。さらに、記録再生装置内のいずれかの部位との接触などにより発生する電圧を利用して壁面に静電気を生じさせて塵埃を付着させるようにしてもよい。
【００１２】
ここで、サイクロン構造を有する塵埃トラップの具体的な形状の例について説明する。この場合、大別して、（１）塵埃トラップ内に渦巻き状の壁が形成され、この壁に沿って次第に中心部に向かって誘導される空気流を気流排出口から排出できるような形状と、（２）塵埃トラップ内に特に壁は設けられておらず、遠心力によって塵埃トラップの壁面に沿って回転しながら誘導させる空気流を気流排出口から排出できるような形状の二つのタイプが考えられる。（１）の場合は、一般に気流排出口は塵埃トラップの底面中央部分にだけ設けられ、（２）の場合は、一般に気流排出口は塵埃トラップの底面部分全体にわたって設けられる。
図３は、サイクロン構造を有する塵埃トラップの形状の一例を示す図であって、上の（１）の形状の一例を、塵埃トラップ及びその近傍の平面図で示したものである。図中、右上がり斜線で示した部分０３０５ｂ及び格子で示した部分０３０５ａ、ｃ〜ｆが塵埃トラップ０３０５、図中下側の無模様の部分が気流導入通路０３０３、中央の白ヌキの略円形部分が気流排出口０３０４である。本図の例では、塵埃トラップの外周部分に外壁０３０５ａ（格子で示す）が形成されているほか、塵埃トラップの底面部０３０５ｂ（右上がり斜線で示す）に断続的に複数の内壁０３０５ｃ〜ｆ（格子で示す）が形成されている。そこで、気流導入通路０３０３から流入した空気流は、矢印で示す方向に流れる。即ち、気流導入通路から流入した空気流は、これらの壁によって次第に中心部に誘導されて、中心付近に設けられた気流排出口０３０４（無模様で示す略円形の部分）から排出される。この場合、空気流中に含まれる塵埃は遠心力によって主に外壁０３０５ａの内面（概ね左上がり斜線で示す範囲０３０５ｇ）に付着する。従って、少なくともこれらの部分が上述したような塵埃の付着しやすい素材などを有していることが望ましい。
なお、気流導入通路からの連通部分（概ね破線長円０３０５ｈで示す部分）は、気流導入通路の開口部に比べて、狭く形成されていることが望ましい。これは、気流導入通路の開口部から取り込まれた大量の空気流が狭い塵埃トラップとの連通部分に集中することにより、塵埃トラップ内に流入する空気流が強まり、より強い遠心力を発生して塵埃の吸着がより容易になるようにするためである。これは以下に示す他の形状例においても同様である。
また、同様の理由により、図３の例の場合には、断続的に形成されている内壁０３０５ｃ〜ｆ相互間の間隔も狭く形成されていることが望ましい。
図４は、サイクロン構造を有する塵埃トラップの形状の別の一例を示す図であって、図３と同様、上の（１）の形状の一例を塵埃トラップ及びその近傍の平面図で示したものであるが、図３の例と異なり、塵埃トラップ０４０５内の底面部０４０５ｂに渦巻き形状をした一枚の内壁０４０５ｃが形成されており、空気流がこの壁によって中心部に誘導され、中心付近に設けられた気流排出口０４０４から排出されて通気状態が保たれる構造になっている。
【００１３】
一方、図５は、サイクロン構造を有する塵埃トラップの形状のさらに別の一例を示す図であって、図３、図４と異なり上の（２）の形状の一例を示す。この場合、本図に示すように、気流導入通路０５０３と塵埃トラップ０５０５との連通部分０５０５ｈが塵埃トラップの壁面０５０５ａ方向に向かって形成され、この部分から塵埃トラップの壁面に向かって空気流が強く吹き付けられることで、強い遠心力が生じ、空気流が壁面に沿って円滑に回転しながら塵埃トラップの底面全体に形成された気流排出口０５０４に誘導されてそこから排出される構造になっている。この場合、図３、図４の例と異なり空気流を誘導する内壁がないことから、気流導入通路と塵埃トラップとの連通部分は、図３等の場合以上に狭く形成されていることが望ましい。
【００１４】
（気流導入通路、気流排出口及び塵埃トラップからなる組）
図６は、本実施例の気流導入通路、気流排出口及び塵埃トラップからなる組の形状及び構造の一例を示す図である。なお、当該組は、ディスクトレーに対して着脱自在なカートリッジ構造であってもよいし、ディスクトレーと一体に成形されていてもよい。あるいは、当該組のうち塵埃トラップ部分だけがディスクトレーに対して着脱自在なカートリッジ構造であって、その余の部分はディスクトレーと一体に成形されていてもよい。本図は、当該組がカートリッジ構造である場合の形状の一例を示した斜視図である。なお、本図では、内部の気流導入通路、塵埃トラップ及び気流排出口のそれぞれの形状及び位置がわかるように、これらを破線、一点鎖線又は二点鎖線で区別するとともに、便宜上気流導入通路と塵埃トラップを別々に示した。実際には、既述のように気流導入通路と塵埃トラップは連接している。図中破線で示した範囲０６０３が気流導入通路、一点鎖線で示した範囲０６０５が塵埃トラップ、二点鎖線で示した範囲０６０４が気流排出口をそれぞれ示し、これらによって組０６０６が構成されている。
本図に示すように、気流導入通路０６０３は、記録再生のためのディスク回転動作状態でディスク（二重線０６０２でディスク面の位置を示す）の略外周周速方向に形成されているため、ディスク上で図１に一例を矢印Ｂ方向で示した方向に生じる空気流が、当該気流導入通路の開口部０６０３ａ（斜線で示した範囲）から気流導入通路内に流入する。ディスクの回転動作状態では、ディスクとディスクトレー面の隙間にも同方向の空気流が発生するため、気流導入通路の開口部はディスクの上下両面上の空気流が流入するような位置に設けられていることが好ましい。本図の例でも、このようにディスク面の両側にまたがる位置に気流導入通路の開口部が設けられていることが示されている。
また、気流導入通路の上面はカバー０６０３ｂ（太線で示す略台形部分）で覆われている。これは、開口部から流入した空気流を散逸させることなく、確実に塵埃トラップまで誘導するためである。本図の例では、当該カバーが塵埃トラップの上部も含めて一体的に覆っている例が示されている。このように塵埃トラップの上部もカバーで覆われている方が、一旦塵埃トラップの内部に溜まった塵埃が非使用時などに再びディスク収納構体内に拡散しないようにする点で望ましい。
本図に示すように当該組がカートリッジ構造の場合には、このカバーは気流導入通路の構成部分としてその一面を形成するものでよい。一方、当該組がディスクトレーと一体に成形されている場合には、当該カバーは開閉もしくは着脱可能に設けられていることが好ましい。これは、気流導入通路や塵埃トラップ内部に溜まった塵埃の清掃を容易にするためである。そこで、この気流導入通路の壁面も、塵埃を吸着しやすいように、塵埃トラップについて上述したところと同様の素材などで形成されていてもよい。換言すれば、気流導入通路は塵埃トラップを兼ねるものであってもよい。
このようにして気流導入通路の開口部から流入した空気流は、気流導入通路０６０３を通って塵埃トラップ０６０５に誘導され、当該塵埃トラップを経て、気流排出口０６０４から排出されることになる。
【００１５】
図７は、気流導入通路、気流排出口及び塵埃トラップからなる組の構造の一例を説明するための図である。このうち（ａ）は当該組及びその近傍部分を含むディスク収納構体０７００の平面図であって、上面のカバーを取り除いて内部の気流導入通路０７０３、塵埃トラップ０７０５及び気流排出口０７０４が見える状態で示したものである。また、（ｂ）は（ａ）の矢印Ｃ方向に見たＸ‐Ｘ断面図である。
図７（ａ）に示すように、ディスク０７０２面上に矢印Ｂ方向に生じる空気流（及び図示されないディスクとディスクトレーの隙間に同方向に生じる空気流）は、気流導入通路０７０３の開口部０７０３ａから組内に流入すると、気流導入通路内を矢印Ｄ方向に誘導されて進み、塵埃トラップ０７０５に至る。本図の例では、塵埃トラップはサイクロン構造になっており、塵埃トラップ内に流入した空気流は塵埃トラップの周辺部に形成された壁０７０５ａと塵埃トラップ内に渦巻き状に形成された内壁０７０５ｃ〜ｅに沿って遠心力で回転しつつ当該塵埃トラップ内を進み、気流排出口０７０４から排出される。
以上の空気流の流れを図７（ｂ）で説明すると、ディスク０７０２の上面とディスクとディスクトレー０７０１の隙間にそれぞれ矢印方向に生じる空気流が気流導入通路０７０３の開口部０７０３ａ（破線で挟まれた範囲）から組内に流入し、気流導入通路０７０３内を矢印方向に進み、塵埃トラップの周辺部に形成された壁０７０５ａと塵埃トラップ内に渦巻き状に形成された内壁０７０５ｃ〜ｅ（本図には一部の内壁０７０５ｄのみ現れている）に沿って遠心力で回転しつつ当該塵埃トラップ内を進み、底面部に設けられた気流排出口０７０４から排出されるとうい流れになる。
この結果、本図の例では、空気流中に含まれる塵埃が塵埃トラップ外壁０７０５ａの内側などに徐々に溜まることになる。使用を重ねて塵埃トラップ内に塵埃がある程度溜まった場合には、塵埃トラップ又はこれを含む組がカートリッジ構造であれば新しいものと交換し、組がディスクトレーと一体に成形されている場合は、上部のカバーを開けるなどして塵埃トラップ内の塵埃を綿棒で拭き取ったりクリーナで吸引したりするなどして清掃することが可能となる。
【００１６】
（ディスクトレーがディスク外周を囲む外周壁を有する構成例）
ところで、ディスクの回転動作時にディスク面上及びディスクとディスクトレーの隙間に生じる空気流は、図１に示したように全方向に向かって生じるので、これを気流導入通路の開口部に確実に誘導することが望ましい。
そこで、本実施例のディスク構体のディスクトレーは、ディスク外周を囲む外周壁を有することが望ましい。
図８は、かかるディスク外周を囲む外周壁を有するディスクトレーの一部の形状の一例を示す斜視図である。本図の例では、本図では示されていない範囲も含め、ディスクトレーのディスク収納面０８０１ａ以外すべての面が、気流導入通路、気流排出口及び塵埃トラップからなる組０８０６（太線で示す）と同一平面をなすようにディスク収納面より一段高い面０８０１ｂを形成することで、かかるディスク外周を囲む外周壁０８０７が形成されている。さらに、ディスク面上の空気流を気流導入通路の開口部に確実に誘導するという外周壁の目的から、この外周壁の高さは図示を省略したディスク面より高いことを要する。即ち、ディスクをディスク収納面に装着されたセンタリング用の部材０８０８を利用してディスク収納面に搭載した場合のディスクの位置は、図６で示したディスクの位置０６０２から明らかなように、外周壁０８０７の中央付近に位置することになる。そこで、ディスクの回転動作時にディスク面上及びディスクとディスクトレーの隙間に生じる空気流は、後述するディスク収納構体の内部上面と外周壁の間に隙間が生じない構造と相俟って、確実に気流導入通路の開口部０８０３ａ（斜線で示す）から取り込まれることになる。
なお、外周壁は本図の例のようにディスクトレーのディスク収納面以外すべての面がディスク収納面より一段高い面を形成することで形成されるものでなくてもよく、ディスクの周囲の一定幅だけがディスク収納面より一段高く形成され、その外側は再び低く形成されているものであってもよい。
外周壁の高さは、ディスクトレーをディスク収納構体内に収納したときに、ディスク収納構体の内部上面（平たく言えば天井に当たる面）と当該外周壁の間に隙間が生じない高さであることが望ましい。これは、ディスク面上に生じた空気流が外周壁を超えてディスク収納構体内部に拡散することを防止するためである。同様の理由により、気流導入通路、気流排出口及び塵埃トラップからなる組の高さもディスクトレーをディスク収納構体内に収納したときに、天井との間に隙間が生じない高さであることが望ましい。結局、かかる好適例においては、外周壁の上面と気流導入通路、気流排出口及び塵埃トラップからなる組の上面とは、いずれもディスク収納構体の内部上面に接する面となり、結果的に本図に示すように外周壁の上面と当該組の上面は同一平面を形成することになる。
【００１７】
ところで、以上では、気流導入通路、気流排出口及び塵埃トラップからなる組が一箇所に設けられている例で説明したが、この組の個数は問わないので、気流導入通路が記録再生のためのディスク回転動作状態でディスクの略外周周速方向に形成されていれば、複数箇所設けられていてもよい。かかる複数の組を有するディスク収納構体の具体例については、別の実施例で後述する。
また、以上においては、ディスク収納構体が、ＤＶＤ等のディスクの記録再生用であって、熱放出のための開口部を有するタイプのものの例を念頭に置いて説明した。しかし、本発明のディスク収納構体は、かかるタイプに限られず、ハードディスクを収納したいわゆる密閉型のディスク収納構体（ただし、気流排出口を備えていることは必須である）であっても構わない。かかる密閉型の対応であっても、製造時に塵埃がディスク収納構体内に混入することは避けられず、これが使用時のディスクの回転によって構体内に拡散し、対物レンズ表面などに付着して光透過率を減少させるなどの弊害を生じさせてディスク記録再生装置の安定的な記録再生機能の発揮の妨げとなるとの事情は開口部を有するタイプのものと同様であるから、本発明のような、ディスクの回転動作に伴って発生する空気流を気流導入通路を介して塵埃トラップに導き、塵埃を溜めた上で空気流を気流排出口から構体外に排出する構造を有するディスク収納構体は有用である。なお、気流排出口の入口部分（塵埃トラップの出口部分）にネットを設けるなどすれば、外気中の塵埃が外気とともに気流排出口から構体内に進入するという問題は生じないから、密閉型のディスク収納構体にわざわざ気流排出口を設けることには何ら問題ない。
あるいは、本実施例のディスク収納構体とは異なるが、密閉型のディスク収納構体の場合には、気流排出口を設けずに、構体内で空気流が循環する途中にかかる塵埃トラップ構造を設けてもよい。この場合には空気流の循環に伴って当該塵埃トラップに塵埃が蓄積されるので、気流排出口がなくても本実施例のディスク収納構体と同様の効果を奏することが可能となる。
【００１８】
<効果>
本実施例の発明により、ディスクの回転時に発生する塵埃を含んだ空気流の誘導路を設けて空気流をその誘導路に吸入して排出口から排出するとともに、誘導路と排出口の間に設けた塵埃トラップ内に塵埃を堆積させるようにすることで、わざわざクリーニング用のカートリッジを挿入しなくても、使用時に自動的にクリーニングができるようにするとともに、除塵処理によって埃が舞い散ることがないように、埃を所定の場所（塵埃トラップ内）に集積させることが可能なディスク収納構体を提供することが可能となる。
【実施例２】
【００１９】
<概要>
本実施例のディスク収納構体は、基本的に実施例１と共通する。ただし、本実施例のディスク収納構体は、少なくとも塵埃トラップは着脱自在なカートリッジ構造である点に特徴を有する。
また、本実施例のディスク収納構体の塵埃トラップは、引き出し自在のディスクトレーに備えられているとともに、引き出された状態で露出された位置に配置されることが望ましい。
さらに、このカートリッジ構造からなる着脱自在なカートリッジは透明材料から構成されていることが望ましい。
【００２０】
<構成>
（全般）
本実施例のディスク収納構体は、少なくとも塵埃トラップは着脱自在なカートリッジ構造である。ここで「少なくとも塵埃トラップは着脱自在なカートリッジ構造である」とは、塵埃トラップだけが着脱自在なカートリッジ構造であってもよいし、気流導入通路、気流排出口及び塵埃トラップからなる組が着脱自在なカートリッジ構造であってもよいという意味である。
【００２１】
（着脱自在なカートリッジ構造）
気流導入通路、気流排出口及び塵埃トラップからなる組が着脱自在なカートリッジ構造である場合の当該組の形状及び構造の一例は、図６で説明したとおりである。
さらにここでは、当該組が着脱自在なカートリッジ構造である場合であって、これとは異なる一例について説明する。
図９は、気流導入通路、気流排出口及び塵埃トラップからなる組が着脱自在なカートリッジ構造である場合の一例を示す図であって、カートリッジをディスクトレーの裏面から嵌め込む構造とした例を示す。このうち、（ａ）は、ディスクトレー０９０１の一部を裏面側から見た図であって、気流導入通路（図示を省略）、気流排出口０９０４及び塵埃トラップ（図示を省略）からなる組０９０６が当該裏面側からディスクトレーに嵌合されている状態が示されている。
また、（ｂ）は、当該組を取り外した状態のディスクトレーの裏面側を示す。本図に示すように、ディスクトレーの裏面側に、当該組を嵌合するための当該組の形状に合わせた窪み０９０１ａが設けられている。
なお、（ｃ）は、この嵌合状態でディスクトレーの表側から見た状態を示す。本図に示すように、当該組０９０６は、ディスクトレー０９０１の一部であるディスク外周部分に位置する面０９０１ｂよりも下側に隠れる状態となる。このため、ディスクトレーの外観は、かかる組を嵌合していない場合とほとんど変わりがなく、すっきりとした見た目を維持することができる。
また、本例の場合は、当該組の裏面側（即ち、気流排出口のある面側、換言すれば図９（ａ）においてこちら側に現れている面側）が透明材料であることが望ましく、かかる構成とすることにより、組内部（特に塵埃トラップ内）の汚れ具合を容易に確認することが可能となる。
【００２２】
（着脱自在なカートリッジ構造の塵埃トラップ）
次に、塵埃トラップだけが着脱自在なカートリッジ構造である場合の例について説明する。
図１０は、本実施例のディスク収納構体の構成の一例を示す図であって、塵埃トラップだけが着脱自在なカートリッジ構造である場合の例を示す。このうち（ａ）は、塵埃トラップ１００５の形状の一例であり、本図の例は、サイクロン構造を有する例であって、図４で示したものと同じ形状のものである。本例では、塵埃トラップの上面部は開口状態であり、底面部分は中央付近に気流排出口に通じる略円形の開口部を有する。
一方、（ｂ）は、組のその余の部分及びその近傍を示す。本図の例では、組のその余の部分はディスクトレー１００１と一体に成形されている。また、組全体の上面がカバー１００６ａで覆われており、開閉自在になっている（本図では開かれた状態を示す）。これは、塵埃トラップの着脱のため及び気流導入通路１００３内の清掃を容易に行えるようにするためである。なお、右上の略円筒形の空間が塵埃トラップを装着する部分１００９であり、その底面に気流排出口１００４が設けられている。
【００２３】
また、本実施例のディスク収納構体の塵埃トラップは、引き出し自在のディスクトレーに備えられているとともに、引き出された状態で露出された位置に配置されることが望ましい。
図１１は、本実施例のディスク収納構体の塵埃トラップの一例を示す図であって、かかる引き出し自在のディスクトレーに備えられているとともに、引き出された状態で露出された位置に配置されている塵埃トラップの一例を示す。本図では、ディスク収納構体１１００からディスクトレー１１０１が引き出された時の手前側に塵埃トラップ１１０５が配置されている例を示したが、露出した位置であればどこでもよい。ただし、手前側の方が着脱が容易である点でより望ましい。
さらに、このカートリッジ構造からなる着脱自在なカートリッジは透明材料から構成されていることが望ましい。さらに、塵埃トラップだけが着脱自在な構造（図１０に一例を示したような構造）の場合、塵埃トラップ等を覆うカバーも透明であることが望ましい。これらはカートリッジ内部の塵埃の溜まり具合の確認を容易にするためである。透明材料としては、透明ガラス、透明樹脂その他が考えられる。
【００２４】
（構成の目的）
本実施例の構成は、少なくとも塵埃トラップを着脱自在なカートリッジ構造とすることにより、塵埃トラップ内が汚れた場合に、これを交換することができるようにし、清掃の手間を省くことを目的とする。
ただし、汚れた塵埃トラップを水の噴射洗浄や水へのつけ洗いなどにより簡単に清掃して再使用できるようにしてもよい。かかる簡単な清掃で再使用できる塵埃トラップは、より好適にはサイクロン構造ではなく、例えば、吸入した空気流を単純に気流排出口から排出するとともに、金属ネット等を素材とする底面部に塵埃を溜める構造のものが考えられる。ただし、サイクロン構造であっても、塵埃を吸着する壁面が耐水性があり、熱乾燥などが可能なものであれば、このような再使用を行うことに何ら支障はない。
また、塵埃トラップが引き出し自在のディスクトレーに備えられている場合に、引き出された状態で露出された位置に配置されているようにするのは、塵埃トラップ内の汚れ具合を目視により容易に確認できるようにするとともに、交換作業を容易にできるようにすることを目的とする。
【００２５】
<効果>
本実施例の発明により、塵埃トラップ内が汚れた場合に、これを交換することができるようにし、清掃の手間を省くこと、あるいは簡単な清掃で再使用することが可能なディスク収納構体を提供することが可能となる。
【実施例３】
【００２６】
<概要>
本実施例のディスク収納構体は、基本的に実施例１と共通する。ただし、本実施例のディスク収納構体は、塵埃トラップは、ディスクトレーと一体に成形された第一部分と、第一部分の気流導入通路部分及び塵埃トラップ部分をカバーする第二部分とからなる点に特徴を有する。さらに、第二部分は透明材料から構成されていてもよい。
つまり、本実施例のディスク収納構体の塵埃トラップは、実施例２では着脱可能なカートリッジ構造のものであったのと異なり、ディスクトレーと一体に成形される。
【００２７】
<構成>
（全般）
図１２は、本実施例のディスク収納構体の構成の一例を示す図である。本図（ａ）に示すように、本実施例のディスク収納構体は、塵埃トラップが、ディスクトレー１２０１と一体に成形された第一部分１２０５ａと、第一部分の気流導入通路部分及び塵埃トラップ部分をカバーする第二部分１２０５ｂとからなる。
（塵埃トラップの第一部分）
このうち、塵埃トラップの第一部分の構成を図１２（ｂ）に示す。本図に示すように、ディスクトレー１２０１の一部に、これと一体に成形された塵埃トラップの第一部分１２０５ａが形成されている。なお、本図の例では、気流導入通路１２０３及び気流排出口１２０４もディスクトレーと一体に成形されている。
（塵埃トラップの第二部分）
また、図１２（ｃ）に、塵埃トラップの第二部分１２０５ｂを示す。当該第二部分は、第一部分の気流導入通路部分及び塵埃トラップ部分をカバーするように構成されている。
塵埃トラップの第二部分が、塵埃トラップ部分だけでなく、気流導入通路部分を含めた部分をカバーするように構成されているのは、本図に示すように１枚のカバーとすることでカバーの隙間から空気流が散逸することがないようにするためであるとともに、カバーの開閉動作を容易にするためでもある。
カバーは透明であることが望ましい。これは塵埃トラップ内の塵埃の溜まり具合の確認を容易にするためである。透明材料としては、透明ガラス、透明樹脂その他が考えられる。
【００２８】
（構成の目的）
本実施例の構成は、塵埃トラップをディスクトレーと一体に成形することにより、実施例２のうち使い捨てタイプのものと異なり塵埃トラップが汚れた場合に清掃の手間がかかるものの、これを繰り返し使用できるようにすることを目的とする。しかも、上に述べたような形状としているので、この清掃は簡単にでき、手間がかからない。例えば、上部のカバーを開けて塵埃トラップ内の塵埃を綿棒で拭き取ったりクリーナで吸引したりするなどして簡単に清掃することが可能である。
【００２９】
<効果>
本実施例の発明により、塵埃トラップ内が汚れた場合でも、簡単に清掃でき、これを繰り返し使用することが可能となる。
【実施例４】
【００３０】
<概要>
本実施例のディスク収納構体は、基本的に実施例１と共通する。ただし、本実施例のディスク収納構体は、気流導入通路と、気流排出口と、塵埃トラップとからなる組を複数有する点に特徴がある。
【００３１】
<構成>
（全般）
図１３は、本実施例のディスク収納構体の構成の一例を示す図であって、気流導入通路と、気流排出口と、塵埃トラップとからなる組１３０６を複数有するディスク収納構体を示す。これらの組のそれぞれは、その気流導入通路が記録再生のためのディスク回転動作状態でディスクの略外周周速方向に形成されていることを要する。
本図では、ディスク収納構体内の上下左右の隅に合計４個の組を有する例を示したが、このうち任意の位置の２又は３個の組を有するものであってもよい。また、気流導入通路が記録再生のためのディスク回転動作状態でディスクの略外周周速方向に形成されているとの条件を満たす限り、これ以外の位置に配置されていてもよく、その数も問わない。例えば、ディスクトレーのスペースに余裕がある場合には、本図に示したそれぞれの組の位置を概ね４５度回転移動した位置にも配置することなどが考えられる。さらに、複数の組がディスク外周に隙間なく並ぶように配置したものも、本実施例のディスク収納構体に該当する。
【００３２】
本実施例のディスク収納構体の塵埃トラップは、サイクロン構造を有するのものであってもよい。
また、少なくとも塵埃トラップが、着脱自在なカートリッジ構造であってもよいし、塵埃トラップが、ディスクトレーと一体に成形された第一部分と、第一部分の気流導入通路部分及び塵埃トラップ部分をカバーする第二部分とからなるものであってもよい。この場合、複数のすべての組の塵埃トラップが着脱自在なカートリッジ構造であってもよいし、複数のすべての組の塵埃トラップがディスクトレーと一体に成形された第一部分と、第一部分の気流導入通路部分及び塵埃トラップ部分をカバーする第二部分とからなるものであってもよい。さらに、複数の組の中にこれら両者が混在していてもよく、その場合の混在比率や配置関係は任意でよい。また、これらの場合にも、前記カートリッジないし第二部分が透明材料から構成されていることが望ましい。
さらに、本実施例のディスク収納構体は、ディスクを収納するディスクトレーを有し、このディスクトレーは、ディスク外周を囲む外周壁を有するものであってもよく、この場合、塵埃トラップは引き出された状態で露出された位置に配置されることが望ましい。
なお、いずれの場合においても、これら複数の組は、ディスクトレーが引き出された状態で露出された位置に配置されていることが望ましい。
【００３３】
（構成の目的）
本実施例の構成は、気流導入通路と気流排出口と塵埃トラップとからなる組を複数配置することで、ディスク回転時にディスク面上に生じる空気流が短時間のうちに気流導入通路内に流入し、もって短時間のうちに塵埃トラップ内への塵埃を堆積させることができるようにすることを目的とする。
また、これら複数の組が、ディスクトレーが引き出された状態で露出された位置に配置されているようにすることは、実施例２で述べたところと同様、塵埃トラップ内の汚れ具合を目視により容易に確認できるようにするとともに、交換作業を容易にできるようにするためである。
【００３４】
<効果>
本実施例の発明により、ディスク回転時にディスク面上に生じる空気流が短時間のうちに気流導入通路内に流入し、もって短時間のうちに塵埃トラップ内への塵埃を堆積させることが可能となる。
【図面の簡単な説明】
【００３５】
【図１】実施例１のディスク収納構体に収納されたディスクトレーの一例を示す平面図
【図２】気流導入通路をディスクの略外周周速方向に形成することの意義を補足して説明するための概念図
【図３】サイクロン構造を有する塵埃トラップの形状の一例を示す図
【図４】サイクロン構造を有する塵埃トラップの形状の一例を示す図
【図５】サイクロン構造を有する塵埃トラップの形状の一例を示す図
【図６】気流導入通路、気流排出口及び塵埃トラップからなる組の形状及び構造の一例を示す図
【図７】気流導入通路、気流排出口及び塵埃トラップからなる組の構造の一例を説明するための図
【図８】ディスク外周を囲む外周壁を有するディスクトレーの一部の形状の一例を示す斜視図
【図９】気流導入通路、気流排出口及び塵埃トラップからなる組が着脱自在なカートリッジ構造である場合の一例を示す図
【図１０】実施例２のディスク収納構体の構成の一例を示す図
【図１１】実施例２のディスク収納構体の塵埃トラップの一例を示す図
【図１２】実施例３のディスク収納構体の構成の一例を示す図
【図１３】実施例４のディスク収納構体の構成の一例を示す図
【符号の説明】
【００３６】
０１００      ディスク収納構体
０１０１      ディスクトレー
０１０２      ディスク
０１０３      気流導入通路
０１０４      気流排出口
０１０５      塵埃トラップ
０１０６      気流導入通路と気流排出口と塵埃トラップからなる組
【図１】
2008176839.tif 000003
【図２】
2008176839.tif 000004
【図３】
2008176839.tif 000005
【図４】
2008176839.tif 000006
【図５】
2008176839.tif 000007
【図６】
2008176839.tif 000008
【図７】
2008176839.tif 000009
【図８】
2008176839.tif 000010
【図９】
2008176839.tif 000011
【図１０】
2008176839.tif 000012
【図１１】
2008176839.tif 000013
【図１２】
2008176839.tif 000014
【図１３】
2008176839.tif 000015